(57)【要約】【課題】複数のユーザ間で原稿の画像を共有するための複雑な設定を、パネル操作することなく安全に行えるようにする。【解決手段】この画像読取装置は、読取対象の原稿とこの原稿と並べて置いたコードを記載したカードの画像を読み取る画像読取部と、画像からコードを検出するコード検出部と、コードを解読することで、原稿を画像データにする上で必要な指示情報を抽出するコード解読部と、指示情報に含まれる画像制御情報に従い原稿の画像データを生成する画像データ生成部と、指示情報に含まれる暗号化のための情報を用いて画像データを暗号化する画像データ暗号部と、指示情報に含まれる送信先の情報に従い暗号化画像データを出力する出力部とを備える。【選択図】図１
2010283492.tif 000002
【特許請求の範囲】
【請求項１】
読取対象の原稿とこの原稿を画像化する上で必要な指示情報を符号化したコードを記載したカードとを並べた状態でこれらを一定の解像度で画像として読み取る画像読取部と、
前記画像読取部により読み取られた画像から前記コードを検出するコード検出部と、
前記コード検出部により検出された前記コードを解読することで、前記原稿を画像データにする上で必要な指示情報を抽出するコード解読部と、
前記コード解読部により抽出された前記指示情報に含まれる出力画像生成のための解像度及び色情報に従い前記原稿の画像データを生成する画像データ生成部と、
前記コード解読部により抽出された前記指示情報に含まれる暗号化のための情報を用いて、前記画像データ生成部により生成された前記画像データを暗号化した暗号化画像データを生成する画像データ暗号部と、
前記コード解読部により抽出された前記指示情報に含まれる送信先の情報に従い前記画像データ暗号部により生成された前記暗号化画像データを出力する出力部と
を具備することを特徴とする画像読取装置。
【請求項２】
前記コードには、出力先としてネットワークアドレスが含まれることを特徴とする請求項１記載の画像読取装置。
【請求項３】
前記コードには、暗号化のための情報として公開鍵が含まれることを特徴とする請求項１記載の画像読取装置。
【請求項４】
前記コードには、出力先にアクセスするためのユーザアカウントとパスワードが含まれることを特徴とする請求項１記載の画像読取装置。
【請求項５】
読取対象の原稿とこの原稿を画像化する上で必要な指示情報を符号化したコードを記載したカードとを並べた状態でこれらを一定の解像度で画像読取部が画像として読み取るステップと、
前記画像からコード検出部が前記コードを検出するステップと、
前記コードをコード解読部が解読することで、前記原稿を画像データにする上で必要な指示情報を抽出するステップと、
前記指示情報に含まれる出力画像生成のための解像度及び色情報に従い画像データ生成部が前記原稿の画像データを生成するステップと、
前記指示情報に含まれる暗号化のための情報を画像データ暗号部が用いて、前記画像データを暗号化した暗号化画像データを生成するステップと、
前記指示情報に含まれる出力先の情報に従い出力部が前記暗号化画像データを出力するステップと
を有することを特徴とする画像読取方法。
【発明の詳細な説明】
【技術分野】
【０００１】
本発明は、原稿を読取り、読取った原稿の画像データを通信ネットワークに接続された複数の外部機器で共有できるイメージスキャナなどの画像読取装置および画像読取方法に関する。
【背景技術】
【０００２】
従来から、ネットワーク上で複数のユーザが共有して利用することが可能な、ネットワークスキャナが発売されている。こうしたネットワークスキャナは、複数ユーザ間での画像データの共有を実現するために、共有を行うための各種設定が複雑なため、パネル操作が煩雑になると共に誤設定を起こす可能性もある。
【０００３】
そこで、近年では、パネル操作の複雑さを解消し利便性を向上するために、処理対象の原稿またはその画像データに対する処理の指示を、原稿の余白に印刷したバーコードなどの１次元または２次元のコード情報から取得し、取得したコード情報に基づき、原稿の画像に対する処理を制限（コピー禁止、送信禁止、回数制限等）するＭＦＰ(Multi Function Peripheral)に関する技術が開発されている（特許文献１参照）。
【先行技術文献】
【特許文献】
【０００４】
【特許文献１】特開２００６−８０９４０号公報
【発明の概要】
【発明が解決しようとする課題】
【０００５】
上記従来の技術の場合、コード情報を用いて原稿の画像に対する処理を制限（コピー禁止、送信禁止、回数制限等）するだけであり、コード情報の他の利用方法については何ら開示されていない。
【０００６】
また、バーコードなどのコード情報を読み取る機能は、近年、携帯電話機などにも備えられており、コード情報をそのまま原稿に印刷していたのではネットワーク関連の設定情報が他者に読み取られるおそれがある。
【０００７】
本発明はこのような課題を解決するためになされたもので、複数のユーザ間で原稿の画像を共有するための複雑な設定を、パネル操作することなく安全に行うことができる画像読取装置および画像読取方法を提供することを目的としている。
【課題を解決するための手段】
【０００８】
上記の課題を解決するために、本発明の画像読取装置は、読取対象の原稿とこの原稿を画像化する上で必要な指示情報を符号化したコードを記載したカードとを並べた状態でこれらを一定の解像度で画像として読み取る画像読取部と、前記画像読取部により読み取られた画像から前記コードを検出するコード検出部と、前記コード検出部により検出された前記コードを解読することで、前記原稿を画像データにする上で必要な指示情報を抽出するコード解読部と、前記コード解読部により抽出された前記指示情報に含まれる出力画像生成のための解像度及び色情報に従い前記原稿の画像データを生成する画像データ生成部と、前記コード解読部により抽出された前記指示情報に含まれる暗号化のための情報を用いて、前記画像データ生成部により生成された前記画像データを暗号化した暗号化画像データを生成する画像データ暗号部と、前記コード解読部により抽出された前記指示情報に含まれる送信先の情報に従い前記画像データ暗号部により生成された前記暗号化画像データを出力する出力部とを具備することを特徴とする。
【０００９】
本発明の画像読取方法は、読取対象の原稿とこの原稿を画像化する上で必要な指示情報を符号化したコードを記載したカードとを並べた状態でこれらを一定の解像度で画像読取部が画像として読み取るステップと、前記画像からコード検出部が前記コードを検出するステップと、前記コードをコード解読部が解読することで、前記原稿を画像データにする上で必要な指示情報を抽出するステップと、前記指示情報に含まれる出力画像生成のための解像度及び色情報に従い画像データ生成部が前記原稿の画像データを生成するステップと、前記指示情報に含まれる暗号化のための情報を画像データ暗号部が用いて、前記画像データを暗号化した暗号化画像データを生成するステップと、前記指示情報に含まれる出力先の情報に従い出力部が前記暗号化画像データを出力するステップとを有することを特徴とする。
【発明の効果】
【００１０】
本発明によれば、複数のユーザ間で原稿の画像を共有するための複雑な設定を、パネル操作することなく安全に行うことができる。
【図面の簡単な説明】
【００１１】
【図１】本発明の第１実施形態に係るネットワークスキャンシステムを示す図である。
【図２】免許証とスキャナ設定カードの一例を示す図である。
【図３】ネットワークスキャナの構成を示す図である。
【図４】ネットワークスキャンシステムの第１の動作例を示すフローチャートである。
【図５】ネットワークスキャンシステムの第２の動作例を示すフローチャートである。
【図６】（Ａ）は第２実施形態に係るスキャナ装置の構成を示す側面図、（Ｂ）はその斜視図である。
【図７】第３実施形態のフォルダの一例を示す図である。
【図８】第４実施形態の伝票処理ヘッダシートの一例を示す図である。
【発明を実施するための形態】
【００１２】
以下、図面を参照して、本発明の一つの実施の形態のネットワークスキャンシステムを詳細に説明する。図１は本発明に係る画像読取装置の第１の実施形態であるネットワークスキャンシステムを示す図、図２は免許証とスキャナ設定カードの一例を示す図、図３はネットワークスキャナ１の構成を示す図である。
【００１３】
図１に示すように、この例のネットワークスキャンシステムは、ネットワークスキャナ１と、複数の外部機器８ａ〜８ｄとを、例えばローカルエリアネットワーク（以下「ＬＡＮ」と称す）などの通信ネットワーク７を介して接続して構成されている。
【００１４】
ネットワークスキャナ１は、フラットベット式のスキャナであり、光学的読取を行う原稿台２の上に、画像読取対象の原稿としての免許証３と、ＱＲコードなどの２次元バーコード４が印刷されたスキャナ設定カード５とを並載し、スキャン開始スイッチ６を押下することで、原稿台２に置かれた原稿の画像を読み取る。
【００１５】
図２に示すように、スキャナ設定カード５には、２次元バーコード４が印刷されている。２次元バーコード４には、免許証３の画像（免許証画像３ａ）を出力する解像度（400DPI，標準）、色情報（カラー／モノクロ）、免許証画像３ａを通信ネットワーク７を通じて送信する送信先情報（外部機器８ａ〜８ｄのいずれか）のネットワークアドレスと共有フォルダ名（ネットワークアドレス:192.168.1.1/public）、ユーザ情報（ネットワークログイン用のユーザアカウントとパスワード）、免許証画像３ａを公開鍵暗号化方式で暗号化する際に用いる鍵情報（公開鍵情報：PKI）等の指示情報が含まれている。
【００１６】
なお、この例で２次元バーコード４の横に示している文字は、２次元バーコード４が保持している情報であるが、実際には２次元バーコード４のみを印刷してもよい。また、この例では、公的身分証である免許証３を例示したが、例えばカスタマイズ可能な自分の名刺などであれば、２次元バーコード４を原稿の一部に印刷しておいてもよい。
【００１７】
図３に示すように、ネットワークスキャナ１は、メモリ１０、画像読取部１１、コード検出部１２、コード解読部１３、画像データ生成部１４、画像データ暗号部１５、通信制御部１６を備えている。
【００１８】
メモリ１０には、画像読取部１１により読み取られた画像（入力画像）、２次元バーコード４から抽出された指示情報（画像制御情報、出力先情報、ユーザ情報、鍵情報等）および外部へ出力する変換後の画像（暗号化画像データ）などが記憶される。
【００１９】
画像読取部１１は、読取対象の原稿とこの原稿を画像化する上で必要な指示情報を符号化したコードを記載したカードとを並べた状態でこれらを一定の解像度で画像として読み取る。すなわち画像読取部１１は、免許証３と２次元バーコード４等をデフォルトの解像度（1200DPIなど）で一つの画像として撮像しメモリ１０に入力画像として記憶する。デフォルトの解像度は、予めメモリ１０に読取情報として設定されている。
【００２０】
コード検出部１２は、画像読取部１１により読み取られた画像から２次元バーコード４を検出する。すなわちコード検出部１２は、メモリ１０の入力画像を読み出して、その入力画像から２次元バーコード４を検出する。２次元バーコード４には３カ所の基準マークがあり、これを検出することで２次元バーコード４を検出できる。
【００２１】
コード解読部１３は、コード検出部１２により検出された２次元バーコード４を解読することで、原稿を画像データにする上で必要な指示情報を抽出する。すなわち、コード解読部１３は、検出された２次元バーコード４を解読し、２次元バーコード４に含まれる画像制御情報（出力する画像の解像度（400DPI，標準）、色情報（カラー／モノクロ）など）や出力先情報（ネットワークアドレス、出力ディレクトリ等）、ユーザ情報（ネットワークログイン用のユーザアカウントとパスワード）、鍵情報（公開鍵）などの指示情報を抽出する。
【００２２】
画像データ生成部１４は、コード解読部１３により抽出された指示情報に含まれる出力画像生成のための画像制御情報（解像度及び色情報）に従い原稿の画像データを生成する。すなわち、画像データ生成部１４は、解読された画像制御情報に従って、入力画像から免許証部分の領域の画像を切り出し、出力形式の画像データに変換する。
【００２３】
画像データ暗号部１５は、コード解読部１３により抽出された指示情報に含まれる暗号化のための鍵情報（公開鍵）を用いて、画像データ生成部１４により生成された画像データを暗号化した暗号化画像データを生成する。すなわち、画像データ暗号部１５は、２次元バーコード４から抽出された鍵情報（公開鍵）を用いて入力原稿の画像データを公開鍵暗号化方式で暗号化しメモリ１０に記憶する。
【００２４】
通信制御部１６は、コード解読部１３により抽出された指示情報に含まれる送信先の情報に従い画像データ暗号部１５により生成された暗号化画像データを出力する出力部として機能する。
【００２５】
すなわち、通信制御部１６は、画像読取装置１のネットワークポートに接続された通信ネットワーク７を通じて、２次元バーコード４から抽出された出力先である外部機器（例えば外部機器８ｂの共有フォルダ（192.168.1.1/public）に、抽出されたユーザ情報（ネットワークログイン用のユーザアカウントおよびパスワード）を用いてログインし、メモリ１０に記憶された暗号化画像データを読み出して送信（出力）する。操作部１７は、スキャン回数を指定するためのボタン（テンキー）やスキャン開始スイッチ６などである。
【００２６】
（第１動作例）
次に、図４のフローチャートを参照してこのネットワークスキャンシステムの第１動作例を説明する。
【００２７】
ネットワークスキャナ１に備えられた原稿台２の上に、画像読取対象となる免許証３および、２次元バーコード４が印刷されたスキャナ設定カード５を載せ、操作部１７よりスキャンする回数を指定し、スキャン開始スイッチ６を押下すると、画像読取部１１は、光学式読取方式等により原稿台２の上の原稿群（免許証３および２次元バーコード４）をスキャンし（図４のステップＳ１０１）、入力画像としてメモリ１０に記憶する。なお、操作部１７より指定されたスキャン回数はメモリ１０に記憶される。また画像読取部１１は、スキャン後、スキャン回数を１回としてカウントしメモリ１０に記憶する。
【００２８】
入力画像がメモリ１０に記憶された後、コード検出部１２は、メモリ１０から入力画像から２次元バーコード４の有無を検出する（ステップＳ１０２）。
【００２９】
検出の結果、２次元バーコードが検出されなかった場合（ステップＳ１０３のＮｏ）、コード検出部１２は、既に解読された２次元バーコード４の解読結果がメモリ１０に存在するか否かをチェックする（ステップＳ１０４）。
【００３０】
このチェックの結果、解読結果が存在しなかった場合（ステップＳ１０４のＮｏ）、コード検出部１２は、処理を終了する。これによりスキャナ設定カード５を使用しない不正な免許証画像の複製を防ぐことができる。
【００３１】
一方、入力画像から２次元バーコード４が検出された場合（ステップＳ１０３のＹｅｓ）、コード解読部１３は、２次元バーコード４を解読し、２次元バーコード４に含まれる画像制御情報、出力先情報（ネットワークアドレス）、ユーザ情報、鍵情報（公開鍵）を抽出し、メモリ１０に記憶する（ステップＳ１０５）。
【００３２】
続いて、画像データ生成部１４は、メモリ１０から画像制御情報および入力画像を読み出し、入力画像から免許証３の領域である免許証画像３ａを切り出し、画像制御情報によって定義された解像度（400DPI，標準）、色情報（カラー／モノクロ）で免許証画像３ａを出力形式の画像へ変換し（ステップＳ１０６）、メモリ１０に記憶する。なお免許証３の領域はエッジ検出などの手法で検出するものとする。
【００３３】
次に、画像データ暗号部１５は、メモリ１０から鍵情報（公開鍵）およびを読み出し、その公開鍵を用いて免許証画像３ａを公開鍵暗号化方式で暗号化し、暗号化画像データとしてメモリ１０に記憶する（ステップＳ１０７）。
【００３４】
そして、通信制御部１６は、メモリ１０から出力先情報（ネットワークアドレス）、ユーザ情報（ネットワークログイン用のユーザアカウントとパスワード）および暗号化画像データを読み出して、画像読取装置１のネットワークポートに接続された通信ネットワーク７を通じて、出力先の外部機器（例えば外部機器８ｂの共有フォルダ（192.168.1.1/public）に、ネットワークログイン用のユーザアカウントおよびパスワードでログインし、暗号化画像データを出力する（ステップＳ１０８）。なお、出力先として、ネットワークスキャナ１に内蔵されるハードディスク装置（ローカルディスク）のフォルダを指定してもよい。
【００３５】
画像読取部１１は、メモリ１０のスキャン回数と操作部１７から指定された指定回数とを比較することで、スキャン回数が指定回数に達したか否かを判定する（ステップＳ１０９）。
【００３６】
この判定の結果、指定回数だけスキャンしていない場合（ステップＳ１０９のＮｏ）、画像読取部１１は、スキャン開始スイッチ６の押下を待ち、ユーザが原稿台２の上に、次の原稿を置いてスキャン開始スイッチ６を押下すると、ステップＳ１０１に戻り、次の原稿のスキャンを行う。
【００３７】
なお、指定回数だけスキャンした場合（ステップＳ１０９のＹｅｓ）、画像読取部１１は、メモリ１０をリセットし（ステップＳ１１０）、処理を終了する。
【００３８】
（第２動作例）
続いて、図５を参照してこのネットワークスキャンシステムの第２の動作例を説明する。上記第１の動作例では、暗号化画像データを外部機器８ｂへ出力する例について説明したが、この第２の動作例では、暗号化画像データをネットワークスキャナ１の内部（ハードディスク装置）に格納しておき、外部機器８ａからネットワークスキャナ１の画像データを参照する例について説明する。
【００３９】
まず、最初のステップとして、ネットワークスキャナ１と通信ネットワーク７を介して接続された外部機器（例えば外部機器８ａ）からアクセス要求を通信制御部１６が検出すると（図５のステップＳ２０１）、通信制御部１６は、外部機器８ａからのアクセス要求に含まれるＩＰアドレス、ユーザアカウント等を抽出し、これらの情報と予め設定されているアクセス制御設定情報（アクセス可能な機器のＩＰアドレスやユーザアカウント、権限種別などの一覧）とを比較して（ステップＳ２０２）、外部機器８ａからのアクセスが本装置（ネットワークスキャナ１）に可能か否かのアクセス可否判定を行う（ステップＳ２０３）。
【００４０】
この判定の結果、アクセスが不可能と判定（アクセス拒否）した場合（ステップＳ２０３のＮｏ）、通信制御部１６は、アクセス要求を受けた外部機器８ａに対してアクセス権限が無い旨の応答を返しアクセス拒否を行う（ステップＳ２０８）。
【００４１】
一方、上記判定の結果、アクセスが可能と判定（アクセス許可）した場合（ステップＳ２０３のＹｅｓ）、通信制御部１６は、そのアクセス要求を受けた外部機器８ａとのセッションを確立し（ステップＳ２０４）、その外部機器８ａからのアクセス対象である暗号化画像データの暗号化時に用いた公開鍵を外部機器８ａへ配布する（ステップＳ２０５）。
【００４２】
ネットワークスキャナ１からの公開鍵の配布を受けた外部機器８ａは、自身のハードディスク装置に予め記憶されている公開鍵の対の秘密鍵を読み出して、その秘密鍵でアクセス対象として指定した暗号化画像データを復号し（ステップＳ２０６）、画像データを参照表示する（ステップＳ２０７）。
【００４３】
このようにこの第１実施形態のネットワークスキャンシステムによれば、以下のように効果が得られる。
【００４４】
従来のネットワークスキャナでは、多数のユーザで共有する性質上、どうしても簡単な操作ミスで原稿が他のユーザに送られたり、または盗み取られてしまう問題があったが、このネットワークスキャンシステムでは、ネットワークスキャナ１が暗号化画像データを保存しておき、外部機器８ａからのアクセス要求に対して公開鍵を配布し、この公開鍵と対になった秘密鍵を外部機器８ａの側が知らない限り暗号化画像データを参照表示することはできないため、簡単な操作で高度なセキュリティを確保することができる。
【００４５】
また、このスキャナ設定カード５がなければ、原稿を画像データ化することができないため、操作ミスで情報を盗み取られる可能性を下げ、セキュリティ強度を高めることができる。
【００４６】
第１動作例では、初めに原稿をスキャンするときに、スキャナ設定カード５と免許証３とを同時に読み取り、スキャナ設定カード５の指示情報に従って、入力画像から免許証画像３ａを切り出し、出力形式に変換し、暗号化し、出力するので、複数のユーザ間で原稿の画像を共有するための複雑な設定を、パネル操作することなく安全に行った上で原稿をスキャンできるようになる。
【００４７】
また、第２動作例のように、公開鍵で暗号化された画像データは秘密鍵でしか復号できないため、公開鍵は他人に知られてもセキュリティレベルが低下しないため、スキャンのときは原稿画像を閲覧できるユーザを特定しなくてもよく、閲覧を許可したユーザにのみ予め秘密鍵を配布しておくことで、利便性を犠牲にすることなく、強固なセキュリティ機能を備えたネットワークスキャンシステムを実現することができる。
【００４８】
また、逆に、秘密鍵で暗号化されたデータは公開鍵で復号できる特徴を利用し、秘密鍵で暗号化した画像データを公開鍵で復号する場合、公開鍵が本人のものであるということが証明できれば、暗号化された画像データが間違いなく本人のものであると確認できるため、デジタル署名と同様の機能を備えたネットワークスキャナ１の実現も可能である。
【００４９】
なお、この第１および第２動作例では、２次元バーコードを用いた例について説明したが、２次元バーコードの代わりに、例えば１次元バーコードや電子透かし、ＲＦＩＤ、ＯＣＲ文字等を用いてもよい。
【００５０】
（第２実施形態）
次に、図６（Ａ）および図６（Ｂ）を参照してネットワークスキャンシステムの第２実施形態について説明する。
【００５１】
この第２実施形態の場合、ネットワーク構成は第１実施形態と同じであり、第１実施形態とはネットワークスキャナとスキャン対象の原稿の形態が異なる。
【００５２】
すなわち、この第２実施形態において、ネットワークスキャナ１ａは、図６（Ａ）および図６（Ｂ）に示すように、帳票搬送式のスキャナであり、原稿台２ａに複数の帳票を載置し、帳票を一枚ずつ搬入し矢印Ａの方向に搬送し排出ポケット１９に収容するように構成されている。
【００５３】
このネットワークスキャナ１ａは、通常の画像読取部１１の他に、２次元バーコードを専用に読み取るための２次元バーコード読取部１８を画像読取部１１の前段に配置している。この２次元バーコード読取部１８で帳票を読み取る前に２次元バーコードのみをスキャンし、読み取った２次元バーコードに含まれる指示情報に従って、帳票の画像データを読み取る解像度、モノクロ・カラーなどのパラメータ、または帳票を出力するパラメータ等を変える。
【００５４】
また、この例では、２次元バーコードが帳票より先に搬送されるように、原稿台２ａの１番上にスキャナ設定カード５を載置する。
【００５５】
そして、２次元バーコード読取部１８で読み取った指示情報に従って、画像読取部１１の解像度を変更し、２次元バーコードスキャン後に解像度を変更した画像読取部１１で以降に搬入される帳票をスキャンする。
【００５６】
一般に、スキャナは、解像度が高くなるほどスキャン速度が低下する。また、モノクロよりもカラーの方がスキャン速度が低下する。第１実施形態では、１つの画像読取部１１で２次元バーコード４と免許証３をスキャンしたが、この場合、最初は最高解像度のカラー画像でスキャンを行い、２次元バーコードの解読後に、スキャンした最高解像度のカラー画像を指定解像度の画像に変換する必要があり、帳票を初めて読み取る際には必ず最高解像度（1200dpi）のカラー画像でスキャンする必要があるため、速度が極めて低くなる欠点があった。
【００５７】
しかし、この第２実施形態では、専用の２次元バーコード読取部１８で初めに２次元バーコードを認識することにより、指定解像度で画像読取部１１にて複数の帳票を連続してスキャンすることができ、帳票を連続的に処理する速度を向上することができる。
【００５８】
（第３実施形態）
図７は第３実施形態のフォルダを示す図である。この第３実施形態では、スキャナ設定カード５ではなく、透明な封筒状のフォルダ７０（クリアファイル）の表面に２次元バーコード４を印刷または貼り付けて使用する。
【００５９】
このフォルダ７０に免許証３などの原稿を挟みこんだ状態で原稿台２に置き、スキャンを行う。この実施形態では、フォルダ７０をAuto Document Feeder：ＡＤＦを搭載したネットワークスキャナに用いることで、２次元バーコードと原稿を連続的にスキャンすることができる。また、従来のパネル操作とは異なり、複数の原稿の連続的なスキャンを行う場合に、１枚毎に解像度、送信先、暗号鍵などを変えることができる。
【００６０】
（第４実施形態）
図８は第４実施形態の伝票処理ヘッダシートを示す図である。この第４実施形態では、２次元バーコード４に一定のプログラム８１を埋め込み、そのプログラム８１に応じて上述したネットワークスキャナ１（図１参照）またはネットワークスキャナ１ａ（図６（Ａ），図６（Ｂ）参照）の表示パネル上にグラフィックユーザインターフェイス（ＧＵＩ）を表示したり、または処理を実行する。これにより、各種業務に応じたカスタマイズ処理を柔軟に行うことができる。また、複数枚の帳票を認識する場合には、先頭にスクリプトを２次元バーコード４の形で記載したヘッダシート（紙）を挿入することで、同様の処理を実現できる。
【００６１】
なお、上記第１乃至第４実施形態では、２次元バーコードを用いた例を説明したが、２次元バーコードの代わりに例えば１次元バーコードや電子透かし、ＲＦＩＤ、ＯＣＲ文字などを用いてもよい。
【００６２】
なお、本願発明は、上記実施形態のみに限定されるものではなく、実施段階ではその要旨を逸脱しない範囲で構成要素を変形してもよい。例えば各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。
さらに、ネットワークを介して接続した異なるコンピュータに構成要素を分散して記憶し、各構成要素を機能させたコンピュータ間で通信することで実現してもよい。
【符号の説明】
【００６３】
１…ネットワークスキャナ、２，２ａ…原稿台、３…免許証、３ａ…免許証画像、４…２次元バーコード、５…スキャナ設定カード、６…スキャン開始スイッチ、７…通信ネットワーク、８ａ…外部機器、８ａ〜８ｄ…外部機器、１０…メモリ、１１…画像読取部、１２…コード検出部、１３…コード解読部、１４…画像データ生成部、１５…画像データ暗号部、１６…通信制御部、１７…操作部、１８…２次元バーコード読取部、１９…排出ポケット、７０…フォルダ。
【図１】
2010283492.tif 000003
【図２】
2010283492.tif 000004
【図３】
2010283492.tif 000005
【図４】
2010283492.tif 000006
【図５】
2010283492.tif 000007
【図６】
2010283492.tif 000008
【図７】
2010283492.tif 000009
【図８】
2010283492.tif 000010